(57)【要約】【課題】カードがカード用コネクタの所定位置に到達したことを各カード毎に検出することができるようにする。【解決手段】カードの電極パッドと接触する端子が配設されたハウジングと、カード保持部材の上側に保持されたカードを検出する上側検出スイッチの上側可動部材及び上側固定部材と、カード保持部材の下側に保持されたカードを検出する下側検出スイッチの下側可動部材及び下側固定部材とを備え、上側可動部材は、カード用コネクタに挿入されたカード保持部材の上側に保持されたカードにおけるカード保持部材の外方に露出した部分に当接し、下側可動部材は、カード用コネクタに挿入されたカード保持部材の下側に保持されたカードにおけるカード保持部材の外方に露出した部分に当接する。【選択図】図１
2016091839.tif 000002
【特許請求の範囲】
【請求項１】
（ａ）一面に電極パッドを備えるカードを両側にそれぞれ保持可能なカード保持部材が挿入されるカード用コネクタであって、
（ｂ）前記カードの電極パッドと接触する端子が配設されたハウジングと、
（ｃ）前記カード保持部材の上側に保持されたカードを検出する上側検出スイッチの上側可動部材及び上側固定部材と、
（ｄ）前記カード保持部材の下側に保持されたカードを検出する下側検出スイッチの下側可動部材及び下側固定部材とを備え、
（ｅ）前記上側可動部材は、前記カード用コネクタに挿入されたカード保持部材の上側に保持されたカードにおける前記カード保持部材の外方に露出した部分に当接し、
（ｆ）前記下側可動部材は、前記カード用コネクタに挿入されたカード保持部材の下側に保持されたカードにおける前記カード保持部材の外方に露出した部分に当接することを特徴とするカード用コネクタ。
【請求項２】
前記カード保持部材の外方に露出した部分は、前記カードにおける角部の１つである請求項１に記載のカード用コネクタ。
【請求項３】
前記カード保持部材は、左右両端に欠落部が形成された前枠部を含み、前記カード保持部材の上側に保持されたカードは、前記角部が一方の欠落部において露出し、前記カード保持部材の下側に保持されたカードは、前記角部が他方の欠落部において露出する請求項２に記載のカード用コネクタ。
【請求項４】
前記カード保持部材の上側に保持されたカードと、前記カード保持部材の下側に保持されたカードとは、平面視において、前記カード保持部材の幅方向に互いにオフセットするように保持される請求項１〜３のいずれか１項に記載のカード用コネクタ。
【請求項５】
前記ハウジングは金属製のフレーム部材を含み、前記上側固定部材又は下側固定部材は、前記フレーム部材の一部である請求項１〜４のいずれか１項に記載のカード用コネクタ。
【発明の詳細な説明】
【技術分野】
【０００１】
本発明は、カード用コネクタに関するものである。
【背景技術】
【０００２】
従来、携帯電話機等の電子機器においては、ＳＩＭ（Ｓｕｂｓｃｒｉｂｅｒ  Ｉｄｅｎｔｉｔｙ  Ｍｏｄｕｌｅ）カード等の各種カードを利用するために、カード用コネクタを備えている。
【０００３】
近年、電子機器の高性能化乃至多機能化に伴って、１台の電子機器が複数枚のカードを利用する傾向にある。そこで、２枚のカードをあらかじめ重ねるようにしてカード用トレイにセットしておき、該カード用トレイを挿入するカード用コネクタが提案されている（例えば、特許文献１参照。）。
【０００４】
図１０は従来のカード用コネクタを示す断面図である。
【０００５】
図において、８１１Ａは、絶縁性の樹脂材料から成るカード用コネクタのハウジングの上側部材であり、８１１Ｂは、前記ハウジングの下側部材である。そして、前記上側部材８１１Ａと下側部材８１１Ｂとの間には、上側カード９０１Ａ及び下側カード９０１Ｂが収容される空間であるカードスロットが形成されている。また、前記上側部材８１１Ａ及び下側部材８１１Ｂには、上側端子８５１Ａ及び下側端子８５１Ｂがそれぞれ取付けられている。
【０００６】
そして、前記上側端子８５１Ａ及び下側端子８５１Ｂの一端は、前記カードスロット内に突出し、該カードスロット内に挿入された上側カード９０１Ａ及び下側カード９０１Ｂのパッドに接触可能となっている。一方、前記上側端子８５１Ａ及び下側端子８５１Ｂの他端は、前記上側部材８１１Ａ及び下側部材８１１Ｂの外方に突出し、図示されない配線基板にはんだ付可能となっている。
【０００７】
また、９６０は、カード用ホルダであり、上下両面に形成された凹部内に上側カード９０１Ａ及び下側カード９０１Ｂを収納して保持した状態で矢印で示されるように移動させられ、前記カードスロット内に挿入される。これにより、上側カード９０１Ａ及び下側カード９０１Ｂは、上下に重ねられた状態で前記カードスロット内に収容され、そのパッドが上側端子８５１Ａ及び下側端子８５１Ｂと導通する。
【先行技術文献】
【特許文献】
【０００８】
【特許文献１】特開２０００−３１５５３４号公報
【発明の概要】
【発明が解決しようとする課題】
【０００９】
しかしながら、前記従来のカード用コネクタにおいては、カードスロットに挿入された上側カード９０１Ａ及び下側カード９０１Ｂをそれぞれ検出する検出スイッチが具備されていない。電子機器とカードとの間で安全に信号の送受信を行うためには、カードのカード用コネクタの挿入が完了し、カードのパッドとカード用コネクタの端子とが接触状態にあることを確認可能な検出スイッチをカード用コネクタが具備することが望ましい。しかし、前記従来のカード用コネクタは、検出スイッチを具備していないので、上側カード９０１Ａ及び下側カード９０１Ｂの挿入の完了を確認することが不可能である。
【００１０】
また、既知の検出スイッチを前記従来のカード用コネクタに取付けることが考えられるが、その場合であっても、カード用ホルダ９６０の挿入の完了を確認することが可能となるだけであって、上側カード９０１Ａ及び下側カード９０１Ｂの挿入の完了を確認することは、依然として不可能である。
【００１１】
前記カード用ホルダ９６０は、上側カード９０１Ａ及び下側カード９０１Ｂの両方がともに収納されていない状態でも、上側カード９０１Ａ又は下側カード９０１Ｂの一方のみが収納された状態でも、カードスロットに挿入することができる。このような場合には、カード用ホルダ９６０の挿入の完了を確認することができても、上側カード９０１Ａ及び下側カード９０１Ｂの両方又はいずれか一方のパッドと上側端子８５１Ａ及び下側端子８５１Ｂとが接触状態にあるか否かを確認することはできない。
【００１２】
本発明は、前記従来のカード用コネクタの問題点を解決して、カードがカード用コネクタの所定位置に到達したことを各カード毎に検出することができる信頼性の高いカード用コネクタを提供することを目的とする。
【課題を解決するための手段】
【００１３】
そのために、本発明のカード用コネクタにおいては、一面に電極パッドを備えるカードを両側にそれぞれ保持可能なカード保持部材が挿入されるカード用コネクタであって、前記カードの電極パッドと接触する端子が配設されたハウジングと、前記カード保持部材の上側に保持されたカードを検出する上側検出スイッチの上側可動部材及び上側固定部材と、前記カード保持部材の下側に保持されたカードを検出する下側検出スイッチの下側可動部材及び下側固定部材とを備え、前記上側可動部材は、前記カード用コネクタに挿入されたカード保持部材の上側に保持されたカードにおける前記カード保持部材の外方に露出した部分に当接し、前記下側可動部材は、前記カード用コネクタに挿入されたカード保持部材の下側に保持されたカードにおける前記カード保持部材の外方に露出した部分に当接する。
【００１４】
本発明の他のカード用コネクタにおいては、さらに、前記カード保持部材の外方に露出した部分は、前記カードにおける角部の１つである。
【００１５】
本発明の更に他のカード用コネクタにおいては、さらに、前記カード保持部材は、左右両端に欠落部が形成された前枠部を含み、前記カード保持部材の上側に保持されたカードは、前記角部が一方の欠落部において露出し、前記カード保持部材の下側に保持されたカードは、前記角部が他方の欠落部において露出する。
【００１６】
本発明の更に他のカード用コネクタにおいては、さらに、前記カード保持部材の上側に保持されたカードと、前記カード保持部材の下側に保持されたカードとは、平面視において、前記カード保持部材の幅方向に互いにオフセットするように保持される。
【００１７】
本発明の更に他のカード用コネクタにおいては、さらに、前記ハウジングは金属製のフレーム部材を含み、前記上側固定部材又は下側固定部材は、前記フレーム部材の一部である。
【発明の効果】
【００１８】
本発明によれば、カードがカード用コネクタの所定位置に到達したことを各カード毎に検出することができるので、高い信頼性を得ることができる。
【図面の簡単な説明】
【００１９】
【図１】本発明の第１の実施の形態におけるカード用トレイのカードを収容した状態を示す図であって、（ａ）は斜め上から観た図、（ｂ）は斜め下から観た図、（ｃ）は上面図である。
【図２】本発明の第１の実施の形態におけるカードを示す斜視図である。
【図３】本発明の第１の実施の形態におけるカード用コネクタの分解図である。
【図４】本発明の第１の実施の形態におけるカード用コネクタの基板に実装された状態を示す斜視図である。
【図５】本発明の第１の実施の形態におけるカード用コネクタの下側ハウジングの斜視図である。
【図６】本発明の第１の実施の形態におけるカード用コネクタにカード用トレイを挿入した状態を示す図であって、（ａ）は上面図、（ｂ）は斜視図である。
【図７】本発明の第１の実施の形態におけるカード用コネクタの所定位置にカードが到達した状態を示す図である。
【図８】本発明の第２の実施の形態におけるカード用コネクタの所定位置にカードが到達した状態を示す図である。
【図９】本発明の第３の実施の形態におけるカード用コネクタの上側ハウジングが含む金属部材の配置を示す斜視図である。
【図１０】従来のカード用コネクタを示す断面図である。
【発明を実施するための形態】
【００２０】
以下、本発明の実施の形態について図面を参照しながら詳細に説明する。
【００２１】
図１は本発明の第１の実施の形態におけるカード用トレイのカードを収容した状態を示す図、図２は本発明の第１の実施の形態におけるカードを示す斜視図である。なお、図１において、（ａ）は斜め上から観た図、（ｂ）は斜め下から観た図、（ｃ）は上面図である。
【００２２】
図において、１６１は本実施の形態におけるカード保持部材としてのカード用トレイであり、図１に示されるように、両側にカード１０１を収容して保持可能であり、図示されない電子機器に取付けられた後述されるカード用コネクタ１に挿入される。つまり、カード１０１は、カード用トレイ１６１に収容され、カード用コネクタ１を介して、電子機器に装着される。なお、該電子機器は、例えば、パーソナルコンピュータ、携帯電話機、スマートフォン、通信モデム、パッド型コンピュータ、デジタルカメラ、ビデオカメラ、音楽プレーヤ、ゲーム機、車両用ナビゲーション装置等であるが、いかなる種類の機器であってもよい。
【００２３】
前記カード１０１は、例えば、ＳＩＭカード、マイクロＳＩＭ（ｍｉｃｒｏＳＩＭ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、４ＦＦ（４ｔｈ  Ｆｏｒｍ  Ｆａｃｔｏｒ）カード、いわゆる、ナノＳＩＭ（ｎａｎｏＳＩＭ）カードであるものとして説明する。なお、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。
【００２４】
図に示されるように、本実施の形態において、前記カード１０１は、互いに平行な前端１１１ｆ及び後端１１１ｒと、該前端１１１ｆ及び後端１１１ｒの両端を連結する互いに平行な一対の側端１１１ｓとによって周囲を画定された全体的に略矩（く）形の板状の形状を有する。そして、その表面１１１ａに、端子部材である電極パッド１５１が、複数、左右の側端１１１ｓに沿って並ぶように、例えば、３つずつ、２列に並ぶように配設されている。すなわち、電極パッド１５１は、カード１０１の前後方向に延在する２本の列を成すように配列されている。なお、裏面１１１ｂには、電極パッド１５１が配設されていない。さらに、前端１１１ｆの左右両端と側端１１１ｓとを結合する角部の一方には、斜めに切欠かれた傾斜部としての切欠部１１１ｃが形成されている。
【００２５】
本実施の形態においては、２枚のカード１０１が、上下に重ねられたような姿勢となってカード用トレイ１６１に収容され、カード用コネクタ１に挿入される。この場合、２枚のカード１０１は、図２に示されるように、互いの裏面１１１ｂが向合うように重ねられる。なお、図２においては、説明の都合上、カード用トレイ１６１の描画が省略されている。また、本実施の形態においては、上側に位置するカード１０１を上側カード１０１Ａとして説明し、下側に位置するカード１０１を下側カード１０１Ｂとして説明し、上側カード１０１Ａ及び下側カード１０１Ｂを統合的に説明する場合には、カード１０１として説明する。
【００２６】
なお、本実施の形態において、カード用コネクタ１、カード用トレイ１６１及びカード１０１の各部の構成及び動作を説明するために使用される上、下、左、右、前、後等の方向を示す表現は、絶対的なものでなく相対的なものであり、カード用コネクタ１、カード用トレイ１６１、カード１０１又はそれらの部品が図に示される姿勢である場合に適切であるが、カード用コネクタ１、カード用トレイ１６１、カード１０１又はそれらの部品の姿勢が変化した場合には、姿勢の変化に応じて変更して解釈されるべきものである。
【００２７】
前記カード用トレイ１６１は、金属から成る板材に打抜き、折曲げ等の加工を施して一体的に形成された金属部材と、該金属部材の周囲の少なくとも一部を被覆して一体化するように、インサートモールド成形乃至オーバーモールド成形と称される成形方法によって形成された絶縁性の樹脂から成る樹脂部材とを含む概略平板状の部材であるが、全体が金属部材から成るものであってもよいし、全体が樹脂部材から成るものであってもよい。
【００２８】
そして、前記カード用トレイ１６１は、上側カード１０１Ａを収容するように上面１６１Ａに形成された上側カード収容凹部１６６Ａと、下側カード１０１Ｂを収容するように下面１６１Ｂに形成された下側カード収容凹部１６６Ｂとを備える。前記上側カード収容凹部１６６Ａと下側カード収容凹部１６６Ｂとは、平面視において、カード用トレイ１６１の幅方向に互いにオフセットされており、これにより、前記上側カード収容凹部１６６Ａ内に収容された上側カード１０１Ａと下側カード収容凹部１６６Ｂに収容された下側カード１０１Ｂとは、平面視において、カード用トレイ１６１の幅方向に互いにオフセットされる。なお、前記上側カード収容凹部１６６Ａ及び下側カード収容凹部１６６Ｂを統合的に説明する場合には、カード収容凹部１６６として説明する。
【００２９】
また、前記カード用トレイ１６１は、幅方向に延在し、前記カード収容凹部１６６の前後を画定する前枠部１６５及び後枠部１６２と、前後方向に延在し、後枠部１６２の両端と前枠部１６５の両端とを連結して前記カード収容凹部１６６の前後を画定する左右一対の側枠部１６４とを含んでいる。なお、前記後枠部１６２の後面には、後板部１６３が一体的に形成されている。また、該後板部１６３の一端には、該後板部１６３を板厚方向に貫通する挿通孔（こう）１６３ａが形成されている。該挿通孔１６３ａは、カード用コネクタ１の後述されるプッシュロッド２２の操作部２２ａを、ピン、ロッド等の補助部材を介して押圧操作する際に、該補助部材を挿通させる孔（あな）である。さらに、前記側枠部１６４の外側面には、カード用コネクタ１内に挿入されたカード用トレイ１６１が保持されて固定されるための保持用凸部１６８が形成されている。
【００３０】
前記カード収容凹部１６６は、平面視において全体的に略矩形の扁（へん）平な凹部であり、後述されるように、前記カード１０１の裏面１１１ｂと対向する平面的な底面１６６ａと、前記カード１０１の側面１１２と対向する内側面１６６ｂとを備える。前記前枠部１６５における側枠部１６４と連結される角部の一方に対応する部分の内側面１６６ｂには、傾斜部１６６ｃが形成されている。
【００３１】
該傾斜部１６６ｃは、カード姿勢規制部として機能し、図１に示されるように、カード１０１が正規の姿勢である場合には、カード用トレイ１６１内へのカード１０１の収容を許容するが、カード１０１が非正規の姿勢である場合には、カード用トレイ１６１内へのカード１０１の収容を許容しない、すなわち、カード収容凹部１６６内へカード１０１を収容することができないようにする。具体的には、前記傾斜部１６６ｃは、正規の姿勢でカード収容凹部１６６内に収容されたカード１０１の切欠部１１１ｃに近接して対向するように形成される。したがって、非正規の姿勢、例えば、前後逆様、表裏逆様等の姿勢のカード１０１をカード収容凹部１６６内へ収容することができない。
【００３２】
また、前記前枠部１６５における側枠部１６４と連結される角部の一方に対応する部分の内側面１６６ｂ及び底面１６６ａは欠落しており、これにより、正規の姿勢でカード収容凹部１６６内に収容されたカード１０１の角部の１つがカード用トレイ１６１の外方へ露出する欠落部１６６ｄが形成されている。なお、図に示される例においては、前端１１１ｆにおいて切欠部１１１ｃと反対側の端と側端１１１ｓとを結合する角部がカード用トレイ１６１の外方へ露出するようになっているが、カード１０１の３つの角部のうちのいずれがカード用トレイ１６１の外方へ露出するようにしてもよい。
【００３３】
さらに、前記前枠部１６５の左右両端にも、欠落部１６５ａが形成されている。そして、前記カード収容凹部１６６の欠落部１６６ｄは、前記前枠部１６５の欠落部１６５ａの一部に含まれるようになっている。これにより、正規の姿勢で上側カード収容凹部１６６Ａ及び下側カード収容凹部１６６Ｂ内に収容された上側カード１０１Ａ及び下側カード１０１Ｂの角部の１つは、それぞれ、前枠部１６５の中央部１６５ｂの両側において、カード用トレイ１６１の外方へ露出するようになっている。
【００３４】
次に、本実施の形態において、前記カード用トレイ１６１を使用するカード用コネクタ１について説明する。
【００３５】
図３は本発明の第１の実施の形態におけるカード用コネクタの分解図、図４は本発明の第１の実施の形態におけるカード用コネクタの基板に実装された状態を示す斜視図、図５は本発明の第１の実施の形態におけるカード用コネクタの下側ハウジングの斜視図である。
【００３６】
本実施の形態において、カード用コネクタ１は、主として合成樹脂等の絶縁性材料から成るハウジング１０と、導電性の金属から成る板材に打抜き、折曲げ等の加工を施すことによって一体的に成形され、ハウジング１０の上側に取付けられたカバー部材としてのシェル６１とを有する。該シェル６１は、ハウジング１０及びカード用コネクタ１に挿入されたカード用トレイ１６１の少なくとも一部の上方を覆うようになっている。そして、前記カード用コネクタ１は、概略、扁平な直方体形状を備え、前記電子機器が備えるプリント配線基板等の基板９１の表面に取付けられ、後方（図４における左方）の挿入口１８から、カード用トレイ１６１が挿入される。
【００３７】
なお、本実施の形態において、ハウジング１０は、下側ハウジング１１と、該下側ハウジング１１の上側に取付けられた上側ハウジング３１とから成る。前記挿入口１８は、下側ハウジング１１と、該下側ハウジング１１の上側に取付けられた上側ハウジング３１との間に形成される。該上側ハウジング３１は、金属から成る板材に打抜き、折曲げ等の加工を施して一体的に形成された複数の上側端子７１を含み、該上側端子７１の周囲の少なくとも一部を被覆して一体化するように、インサートモールド成形乃至オーバーモールド成形と称される成形方法によって形成された絶縁性の樹脂から成る樹脂部材を含む概略平板状の部材である。
【００３８】
前記上側ハウジング３１は、概略矩形の平板状の天壁部３１ａと、該天壁部３１ａの幅方向両端に一体的に接続され、前後方向に延在する天壁部３１ａよりも肉厚な一対の上側側壁部３１ｂとを含んでいる。該上側側壁部３１ｂは、その上面が天壁部３１ａの上面と面一であり、その下面が天壁部３１ａの下面よりも下方に位置する。なお、前記上側側壁部３１ｂの下面には、前記下側ハウジング１１の結合突起１６が嵌（かん）入される図示されない結合凹部が形成されている。さらに、前記上側側壁部３１ｂの側面の一部には、前記上側端子７１の脚部７１ｃが露出する側面開放部３１ｄが形成されている。また、前記天壁部３１ａには、前記上側端子７１の接触部７１ａが露出する上側端子保持凹部３１ｃが形成されている。該上側端子保持凹部３１ｃは、天壁部３１ａを板厚方向に貫通する開口であり、図に示される例では、２つであるが、単数であってもよい。
【００３９】
そして、前記上側端子７１は、上側ハウジング３１の前後方向に延在する２本の列を成すように、配列されている。前記上側端子７１は、少なくとも一部が天壁部３１ａに埋込まれ、また、少なくとも接触部７１ａが上側端子保持凹部３１ｃ内に露出している。前記接触部７１ａは、上側端子７１の腕部が備えるばね性によって下方に向けて付勢され、カード用コネクタ１内に保持されたカード用トレイ１６１内の上側カード１０１Ａの電極パッド１５１の各々に接触する。なお、上側端子７１の数及び配置の形態は、上側カード１０１Ａの電極パッド１５１の数及び配置の形態に適合するように、適宜変更される。また、前記上側端子７１の脚部７１ｃは、ほぼ直角に折曲げられ、下方に向けて延出し、その下端には下方に突出するはんだ付部としてのテール部７１ｄが形成されている。
【００４０】
上側ハウジング３１が下側ハウジング１１に取付けられると、各脚部７１ｃは、下側ハウジング１１の下側側壁部１１ｅに形成された案内孔１１ｆに挿通される。そして、前記テール部７１ｄは、図４に示されるように、下側ハウジング１１の下面よりも下方に突出し、少なくとも一部が、基板９１の表面に形成された端子接続孔９２内に進入する。該端子接続孔９２は、基板９１が備える図示されない導電トレースに接続されている。そして、前記テール部７１ｄは、端子接続孔９２にはんだ付されることによって、前記導電トレースと確実に導通した状態となる。このように、脚部７１ｃが案内孔１１ｆに挿通されるので、テール部７１ｄの位置決めが確実に行われる。また、上側端子７１のテール部７１ｄの位置決めが、下側端子５１のテール部５１ｄの位置決めとともに、下側ハウジング１１によってなされるので、位置精度がより向上する。
【００４１】
また、前記下側ハウジング１１は、金属から成る板材に打抜き、折曲げ等の加工を施して一体的に形成された複数の下側端子５１及び下側シェル１２を含み、該下側端子５１及び下側シェル１２の周囲の少なくとも一部を被覆して一体化するように、インサートモールド成形乃至オーバーモールド成形と称される成形方法によって形成された絶縁性の樹脂から成る樹脂部材を含む概略平板状の部材である。なお、前記下側シェル１２は、下側ハウジング１１を補強するフレーム部材であって、下側端子５１と同じ部材から形成されるが、前記下側端子５１からは分離されて電気的に絶縁されている。
【００４２】
前記下側ハウジング１１は、概略矩形の平板状の底壁部１１ｂと、下側ハウジング１１におけるカード用トレイ１６１の挿入方向（前後方向）前端に沿って幅方向に延在し、底壁部１１ｂより肉厚の奥壁部１１ａと、下側ハウジング１１における左右両側縁に沿って挿入方向に延在し、底壁部１１ｂより肉厚の一対の下側側壁部１１ｅとを含んでいる。前記奥壁部１１ａ及び下側側壁部１１ｅは、その下面が底壁部１１ｂの下面と面一であり、その上面が底壁部１１ｂの上面よりも上方に位置する。なお、前記下側側壁部１１ｅの上面には、上側ハウジング３１が下側ハウジング１１に取付けられると、上側側壁部３１ｂの下面に形成された結合凹部に嵌入される結合突起１６が形成されている。
【００４３】
さらに、前記下側側壁部１１ｅの下面には、案内孔１１ｆに対応する部分に視認用凹部１４が形成されている。該視認用凹部１４の上端は、下側側壁部１１ｅの下面よりも上方に位置しているので、図４に示されるように、上側端子７１のテール部７１ｄが端子接続孔９２内に進入してはんだ付されているか否かを、外側から視認することによって、確認することができる。
【００４４】
また、前記底壁部１１ｂには、前記下側端子５１の接触部５１ａが露出する下側端子保持凹部１１ｃと、前記下側端子５１のはんだ付部としてのテール部５１ｄが露出するテール開口部１１ｄが形成されている。そして、前記下側端子５１は、下側ハウジング１１の前後方向に延在する２本の列を成すように、配列されている。前記下側端子５１は、少なくとも一部が底壁部１１ｂに埋込まれ、少なくとも接触部５１ａが下側端子保持凹部１１ｃ内に露出し、テール部５１ｄがテール開口部１１ｄ内に露出している。前記接触部５１ａは、下側端子５１の腕部が備えるばね性によって上方に向けて付勢され、カード用コネクタ１内に保持されたカード用トレイ１６１内の下側カード１０１Ｂの電極パッド１５１の各々に接触する。なお、下側端子５１の数及び配置の形態は、下側カード１０１Ｂの電極パッド１５１の数及び配置の形態に適合するように、適宜変更される。また、前記テール部５１ｄは、基板９１が備える導電トレースに接続された図示されない接続パッド等に、はんだ付されることによって、前記導電トレースと確実に導通した状態となる。
【００４５】
なお、前記底壁部１１ｂと左右の下側側壁部１１ｅとの間には、下側シェル１２が露出している。そして、各下側側壁部１１ｅの内側には、カード用トレイ１６１を保持して固定するための保持用ばね部材２５が配設されている。該保持用ばね部材２５は、前後方向に延在する細長い板状のばね部材であって、その中央部付近に下側ハウジング１１の幅方向内側に向って突出する保持用凸部２５ａが形成されている。該保持用凸部２５ａは、カード用トレイ１６１の保持用凸部１６８と係合し、これにより、カード用コネクタ１内に挿入されたカード用トレイ１６１を保持して固定する。
【００４６】
また、前記下側側壁部１１ｅの一方の内側には、カード用コネクタ１内に挿入されたカード用トレイ１６１を排出するためのトレイ排出機構におけるトレイ排出操作部材としてのプッシュロッド２２が前後方向にスライド可能に取付けられている。該プッシュロッド２２は、概略直線的な棒状又は帯板状の部材であるが、その後端部には、屈曲した操作部２２ａが一体的に接続されている。前記プッシュロッド２２の前端部には、イジェクトレバー２１の力点部２１ｂと係合する係合部２２ｂが形成されている。前記イジェクトレバー２１は、奥壁部１１ａの近傍に配設されたレバー状の部材であってトレイ排出機構におけるトレイ排出梃子（てこ）部材として機能する。そのため、イジェクトレバー２１は、支点部２１ｃにおいて枢動可能に底壁部１１ｂに取付けられている。そして、イジェクトレバー２１における前記支点部２１ｃを挟んで力点部２１ｂと反対側の端部は、カード用コネクタ１内に挿入されたカード用トレイ１６１の前枠部１６５に当接して、カード用トレイ１６１に排出方向の力を付与する作用点部２１ａとして機能する。
【００４７】
さらに、下側ハウジング１１には、カード用コネクタ１に挿入されたカード用トレイ１６１に収容された上側カード１０１Ａ及び下側カード１０１Ｂが、それぞれ、カード用コネクタ１内の所定位置に到達したことを検出する上側検出スイッチ５６Ａ及び下側検出スイッチ５６Ｂが配設されている。そして、前記上側検出スイッチ５６Ａは、上側可動部材５７Ａ及び上側固定部材５８Ａを備え、前記下側検出スイッチ５６Ｂは、下側可動部材５７Ｂ及び下側固定部材５８Ｂを備える。なお、上側検出スイッチ５６Ａ及び下側検出スイッチ５６Ｂ、上側可動部材５７Ａ及び下側可動部材５７Ｂ並びに上側固定部材５８Ａ及び下側固定部材５８Ｂを統合的に説明する場合には、検出スイッチ５６、可動部材５７及び固定部材５８として説明する。
【００４８】
上側カード１０１Ａ及び下側カード１０１Ｂが前記所定位置に到達していない場合には、上側可動部材５７Ａと上側固定部材５８Ａとが接触し、また、下側可動部材５７Ｂと下側固定部材５８Ｂとが接触しているので、上側検出スイッチ５６Ａ及び下側検出スイッチ５６Ｂは導通状態、すなわち、オン（ＯＮ）になっている。しかし、上側カード１０１Ａ及び下側カード１０１Ｂが前記所定位置に到達すると、可動部材５７の当接部５７ｃがカード用トレイ１６１の外方へ露出している角部における前端１１１ｆに当接して押され、これにより、可動部材５７が変位して固定部材５８から離間する。したがって、上側検出スイッチ５６Ａ及び下側検出スイッチ５６Ｂが、それぞれ、非導通状態、すなわち、オフ（ＯＦＦ）になるので、上側カード１０１Ａ及び下側カード１０１Ｂが前記所定位置に到達したことが検出される。なお、前記当接部５７ｃには、短絡防止のために、プラスチック等の絶縁性材料から成るカバーが被せられていることが望ましい。
【００４９】
また、前記シェル６１は、概略矩形の天板部６２と、該天板部６２の側縁から立設する側板部６３とを有する。該側板部６３には、複数の掛止開口６３ａが形成され、シェル６１を、下側ハウジング１１と上側ハウジング３１とが組合されたハウジング１０の上側に取付けると、下側ハウジング１１の下側側壁部１１ｅの外側面に形成された掛止突起１３に前記掛止開口６３ａが掛止され、これにより、シェル６１がハウジング１０に固定される。また、前記側板部６３の下端の任意の箇所には、シェル６１の幅方向外側に向けて延出するはんだ付部としてのテール部６４が形成されている。該テール部６４は、前記基板９１の表面に形成された固定用パッド９３にはんだ付される。
【００５０】
さらに、前記側板部６３の下端には、前記下側側壁部１１ｅに形成された案内孔１１ｆに対応する部分に視認用凹部６５が形成されている。該視認用凹部６５の上端は、テール部６４の下面よりも上方に位置しているので、図４に示されるように、上側端子７１のテール部７１ｄが端子接続孔９２内に進入してはんだ付されているか否かを、外側から視認することによって、確認することができる。
【００５１】
次に、前記構成のカード用トレイ１６１をカード用コネクタ１に挿入し、その後カード用コネクタ１から排出する動作について説明する。
【００５２】
図６は本発明の第１の実施の形態におけるカード用コネクタにカード用トレイを挿入した状態を示す図、図７は本発明の第１の実施の形態におけるカード用コネクタの所定位置にカードが到達した状態を示す図である。なお、図６において、（ａ）は上面図、（ｂ）は斜視図である。
【００５３】
まず、カード用トレイ１６１を挿入する場合の動作について説明する。なお、カード用トレイ１６１は、上側カード１０１Ａ及び下側カード１０１Ｂの両方とも収容していない状態であっても、また、上側カード１０１Ａ又は下側カード１０１Ｂのいずれかのみを収容した状態であっても、カード用コネクタ１に挿入及び排出することができるが、ここでは、上側カード１０１Ａ及び下側カード１０１Ｂを両方とも収容している場合についてのみ説明する。
【００５４】
ユーザは、手指等によって、上側カード１０１Ａ及び下側カード１０１Ｂが収容されたカード用トレイ１６１をカード用コネクタ１の後方から挿入口１８に挿入する。ここで、カード用トレイ１６１は、その上面１６１Ａが上を向き、すなわち、上側ハウジング３１の天壁部３１ａと向合い、その下面１６１Ｂが下を向き、すなわち、下側ハウジング１１の底壁部１１ｂと向合い、前枠部１６５が下側ハウジング１１の奥壁部１１ａの方を向くような姿勢、すなわち、正規姿勢で挿入される。そのため、上側カード収容凹部１６６Ａ内に収容されている上側カード１０１Ａは、電極パッド１５１が配設されている表面１１１ａが開放された状態で上を向き、下側カード収容凹部１６６Ｂ内に収容されている下側カード１０１Ｂは、電極パッド１５１が配設されている表面１１１ａが開放された状態で下を向く姿勢となっている。
【００５５】
そして、ユーザがカード用トレイ１６１を前記挿入口１８に挿入して更に進行させると、前記カード用トレイ１６１は、前記上側ハウジング３１と下側ハウジング１１との間に形成される挿入空間内を奥壁部１１ａに向って進行し、上側カード１０１Ａ及び下側カード１０１Ｂが所定位置に到達する。該所定位置は、各電極パッド１５１が対応する上側端子７１の接触部７１ａ及び下側端子５１の接触部５１ａと確実に接触する位置である。
【００５６】
上側カード１０１Ａ及び下側カード１０１Ｂが所定位置に到達すると、左右一対の保持用ばね部材２５の保持用凸部２５ａが、カード用トレイ１６１の保持用凸部１６８と係合する。これにより、カード用トレイ１６１は、図６（ａ）及び（ｂ）に示されるように、前記所定位置に対応する位置において安定的に保持されてロックされ、後方に向けて変位することが防止される。また、カード用トレイ１６１が前記所定位置に対応する位置に到達すると、イジェクトレバー２１の作用点部２１ａは、前枠部１６５に押されて進行して下側ハウジング１１の奥壁部１１ａと干渉するので、それ以上進行不能となる。したがって、カード用トレイ１６１も、それ以上進行不能となる。
【００５７】
さらに、上側カード１０１Ａ及び下側カード１０１Ｂが所定位置に到達すると、図７に示されるように、検出スイッチ５６の可動部材５７が固定部材５８から離間する。なお、図７においては、説明の都合上、シェル６１、上側ハウジング３１及びカード用トレイ１６１の描画が省略されている。
【００５８】
より詳細には、上側カード収容凹部１６６Ａ内に収容された上側カード１０１Ａの角部の１つであって、前枠部１６５の欠落部１６５ａに露出し、中央部１６５ｂの両側においてカード用トレイ１６１の外方へ露出した角部における前端１１１ｆが、上側可動部材５７Ａの当接部５７ｃと当接して前記上側可動部材５７Ａを変位させる。これにより、上側可動部材５７Ａが変位して上側固定部材５８Ａから離間し、上側検出スイッチ５６Ａがオフになるので、上側カード１０１Ａが前記所定位置に到達したことが検出される。
【００５９】
同様に、下側カード収容凹部１６６Ｂ内に収容された下側カード１０１Ｂの角部の１つであって、前枠部１６５の欠落部１６５ａに露出し、中央部１６５ｂの両側においてカード用トレイ１６１の外方へ露出した角部における前端１１１ｆが、下側可動部材５７Ｂの当接部５７ｃと当接して前記下側可動部材５７Ｂを変位させる。これにより、下側可動部材５７Ｂが変位して下側固定部材５８Ｂから離間し、下側検出スイッチ５６Ｂがオフになるので、下側カード１０１Ｂが前記所定位置に到達したことが検出される。
【００６０】
次に、カード用トレイ１６１をカード用コネクタ１から排出させる動作について説明する。
【００６１】
まず、ユーザが手指等によって、ピン、ロッド等の補助部材を、カード用トレイ１６１の後方から、後板部１６３に形成された挿通孔１６３ａに挿通させ、前記補助部材の先端をプッシュロッド２２の操作部２２ａに当接させる。そして、ユーザが補助部材を介してプッシュロッド２２を押込むと、該プッシュロッド２２の係合部２２ｂと係合するイジェクトレバー２１の力点部２１ｂが前方に変位する。そのため、イジェクトレバー２１の作用点部２１ａに前枠部１６５が押されて、カード用トレイ１６１は、所定位置から後方に向けて変位する。この際、カード用トレイ１６１の保持用凸部１６８と保持用ばね部材２５の保持用凸部２５ａとの係合が解除されるので、プッシュロッド２２は、カード用トレイ１６１及びイジェクトレバー２１を介して、弾性的に変形させられる保持用ばね部材２５が発揮するばね力を主因とする抵抗を受けるが、該抵抗がユーザの手指等が発揮する押圧力よりも小さいので、前記抵抗に抗して前方に移動する。また、上側検出スイッチ５６Ａ及び下側検出スイッチ５６Ｂがオンになり、上側カード１０１Ａ及び下側カード１０１Ｂが所定位置から後退したことが検出される。
【００６２】
これにより、カード用トレイ１６１の後板部１６３は、カード用コネクタ１の挿入口１８から十分に大きく後方へ突出した状態となる。したがって、ユーザは、手指等によって後板部１６３を把持することにより、カード用トレイ１６１をカード用コネクタ１から引出して排出させることができる。
【００６３】
このように、本実施の形態において、カード用コネクタ１は、表面１１１ａに電極パッド１５１を備えるカード１０１を両側にそれぞれ保持可能なカード用トレイ１６１が挿入される。そして、カード用コネクタ１は、カード１０１の電極パッド１５１と接触する上側端子７１及び下側端子５１が配設された上側ハウジング３１及び下側ハウジング１１と、カード用トレイ１６１の上側に保持されたカード１０１を検出する上側検出スイッチ５６Ａの上側可動部材５７Ａ及び上側固定部材５８Ａと、カード用トレイ１６１の下側に保持されたカード１０１を検出する下側検出スイッチ５６Ｂの下側可動部材５７Ｂ及び下側固定部材５８Ｂとを備え、上側可動部材５７Ａは、カード用コネクタ１に挿入されたカード用トレイ１６１の上側に保持されたカード１０１におけるカード用トレイ１６１の外方に露出した部分に当接し、下側可動部材５７Ｂは、カード用コネクタ１に挿入されたカード用トレイ１６１の下側に保持されたカード１０１におけるカード用トレイ１６１の外方に露出した部分に当接する。
【００６４】
これにより、カード１０１がカード用コネクタ１に挿入されたことを、各カード１０１毎に検出することができる。したがって、高い信頼性を得ることができる。
【００６５】
また、カード用トレイ１６１の外方に露出した部分は、カード１０１における角部の１つである。さらに、カード用トレイ１６１は、左右両端に欠落部１６５ａが形成された前枠部１６５を含み、カード用トレイ１６１の上側に保持されたカード１０１は、角部が一方の欠落部１６５ａにおいて露出し、カード用トレイ１６１の下側に保持されたカード１０１は、角部が他方の欠落部１６５ａにおいて露出する。さらに、カード用トレイ１６１の上側に保持されたカード１０１と、カード用トレイ１６１の下側に保持されたカード１０１とは、平面視において、カード用トレイ１６１の幅方向に互いにオフセットするように保持される。
【００６６】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００６７】
図８は本発明の第２の実施の形態におけるカード用コネクタの所定位置にカードが到達した状態を示す図である。
【００６８】
本実施の形態におけるカード１０１及びカード用トレイ１６１は、前記第１の実施の形態におけるカード１０１及びカード用トレイ１６１と同様であるので、その説明を省略する。なお、図においては、説明の都合上、シェル６１、上側ハウジング３１及びカード用トレイ１６１の描画が省略されている。
【００６９】
そして、本実施の形態におけるカード用コネクタ１においては、図に示されるように、上側固定部材５８Ａが省略され、下側シェル１２に形成された切起こし部１２ａを上側検出スイッチ５６Ａの固定側接点として、上側固定部材５８Ａの代わりに使用する。この場合、上側カード１０１Ａが所定位置に到達していないときには、上側可動部材５７Ａと切起こし部１２ａとが接触し、上側検出スイッチ５６Ａは導通状態、すなわち、オンになっていて、上側カード１０１Ａが所定位置に到達すると、上側可動部材５７Ａが変位して切起こし部１２ａから離間し、上側検出スイッチ５６Ａが、非導通状態、すなわち、オフになる。
【００７０】
このように、本実施の形態において、上側固定部材５８Ａが省略されているので、カード用コネクタ１の部品点数を削減することができる。さらに、必要に応じて、下側固定部材５８Ｂを省略し、対応する下側シェル１２に切起こし部１２ａを形成して、下側検出スイッチ５６Ｂの固定側接点とすることもできる。つまり、本実施の形態において、下側ハウジング１１は金属製の下側シェル１２を含み、上側固定部材５８Ａ又は下側固定部材５８Ｂは、下側シェル１２の一部である。
【００７１】
なお、その他の点の構成、動作及び効果については、前記第１の実施の形態と同様であるので、説明を省略する。
【００７２】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００７３】
図９は本発明の第３の実施の形態におけるカード用コネクタの上側ハウジングが含む金属部材の配置を示す斜視図である。
【００７４】
本実施の形態におけるカード１０１及びカード用トレイ１６１は、前記第１の実施の形態におけるカード１０１及びカード用トレイ１６１と同様であるので、その説明を省略する。
【００７５】
そして、本実施の形態におけるカード用コネクタ１において、上側ハウジング３１は、金属から成る板材に打抜き、折曲げ等の加工を施して一体的に形成された複数の上側端子７１及びフレーム部材７２を含み、該上側端子７１及びフレーム部材７２の周囲の少なくとも一部を被覆して一体化するように、インサートモールド成形乃至オーバーモールド成形と称される成形方法によって成形された絶縁性の樹脂から成る樹脂部材を含む概略平板状の部材である。前記上側端子７１及びフレーム部材７２は、同じ母材から形成される。なお、図においては、説明の都合上、樹脂部材の描画が省略されている。また、本実施の形態におけるカード用コネクタ１においては、シェル６１が省略されている。
【００７６】
前記フレーム部材７２は、平面視において略エ字状の形状を備え、上側ハウジング３１の幅方向に延在する一対の横梁（はり）部７２ｂと、該横梁部７２ｂの中央を連結する縦梁部７２ａとを含んでいる。また、各横梁部７２ｂの両端には、ほぼ直角に折曲げられ、下方に向けて延出するフレーム脚部７３がそれぞれ接続されている。そして、各フレーム脚部７３の下端近傍には、掛止開口７３ａが形成され、上側ハウジング３１が下側ハウジング１１と組合されると、下側ハウジング１１の下側側壁部１１ｅの外側面に形成された掛止突起１３に前記掛止開口７３ａが掛止され、これにより、上側ハウジング３１が下側ハウジング１１に固定される。さらに、各フレーム脚部７３の下端には、上側ハウジング３１の幅方向外側に向けて延出するはんだ付部としてのテール部７４が形成されている。該テール部７４は、前記基板９１の表面に形成された固定用パッド９３にはんだ付される。
【００７７】
このように、本実施の形態においては、前記フレーム部材７２は、上側端子７１の周囲の広い範囲に存在し、シールドとして機能するので、シェル６１を省略することができる。したがって、カード用コネクタ１の部品点数を削減することができる。
【００７８】
なお、その他の点の構成、動作及び効果については、前記第１及び第２の実施の形態と同様であるので、説明を省略する。
【００７９】
また、本発明は前記実施の形態に限定されるものではなく、本発明の趣旨に基づいて種々変形させることが可能であり、それらを本発明の範囲から排除するものではない。
【産業上の利用可能性】
【００８０】
本発明は、カード用コネクタに適用することができる。
【符号の説明】
【００８１】
１    カード用コネクタ
１０    ハウジング
１１    下側ハウジング
１１ａ    奥壁部
１１ｂ    底壁部
１１ｃ    下側端子保持凹部
１１ｄ    テール開口部
１１ｅ    下側側壁部
１１ｆ    案内孔
１２    下側シェル
１２ａ    切起こし部
１３    掛止突起
１４、６５    視認用凹部
１６    結合突起
１８    挿入口
２１    イジェクトレバー
２１ａ    作用点部
２１ｂ    力点部
２１ｃ    支点部
２２    プッシュロッド
２２ａ    操作部
２２ｂ    係合部
２５    保持用ばね部材
２５ａ、１６８    保持用凸部
３１    上側ハウジング
３１ａ    天壁部
３１ｂ    上側側壁部
３１ｃ    上側端子保持凹部
３１ｄ    側面開放部
５１、８５１Ｂ    下側端子
５１ａ、７１ａ    接触部
５１ｄ、６４、７１ｄ、７４    テール部
５６Ａ    上側検出スイッチ
５６Ｂ    下側検出スイッチ
５７Ａ    上側可動部材
５７Ｂ    下側可動部材
５７ｃ    当接部
５８Ａ    上側固定部材
５８Ｂ    下側固定部材
６１    シェル
６２    天板部
６３    後板部
６３ａ、７３ａ    掛止開口
７１、８５１Ａ    上側端子
７１ｃ    脚部
７２    フレーム部材
７２ａ    縦梁部
７２ｂ    横梁部
７３    フレーム脚部
９１    基板
９２    端子接続孔
９３    固定用パッド
１０１    カード
１０１Ａ、９０１Ａ    上側カード
１０１Ｂ、９０１Ｂ    下側カード
１１１ａ    表面
１１１ｂ    裏面
１１１ｃ    切欠部
１１１ｆ    前端
１１１ｒ    後端
１１１ｓ    側端
１１２    側面
１５１    電極パッド
１６１    カード用トレイ
１６１Ａ    上面
１６１Ｂ    下面
１６２    後枠部
１６３    後板部
１６３ａ    挿通孔
１６４    側枠部
１６５    前枠部
１６５ａ、１６６ｄ    欠落部
１６５ｂ    中央部
１６６Ａ    上側カード収容凹部
１６６Ｂ    下側カード収容凹部
１６６ａ    底面
１６６ｂ    内側面
１６６ｃ    傾斜部
８１１Ａ    上側部材
８１１Ｂ    下側部材
９６０    カード用ホルダ
【図１】
2016091839.tif 000003
【図２】
2016091839.tif 000004
【図３】
2016091839.tif 000005
【図４】
2016091839.tif 000006
【図５】
2016091839.tif 000007
【図６】
2016091839.tif 000008
【図７】
2016091839.tif 000009
【図８】
2016091839.tif 000010
【図９】
2016091839.tif 000011
【図１０】
2016091839.tif 000012